(57)【要約】【課題】印刷作業の高効率化、印刷精度の向上及び印刷の高密度化等を可能なスキージ装置。【解決手段】底部にスクリーンの上面と接触する前後一対のブレードと、該ブレード間に位置していて開閉可能に構成された細長状の供給口とを具備すると共に、内部に該供給口を通して前記スクリーン上に分与される粘性印刷材料を容納するチャンバーを備えたハウジングと、供給口開閉機構とからなっていて、ハウジングが印刷のために前進せしめられる場合にのみ、前記一対のブレードが前記スクリーンの上面とそれぞれ接触すると共に、該一対のブレードのうち、後方のブレードがスキージ・ブレードとして働くよう構成される。【選択図】　　　　図１
2004001548.tif 000002
【特許請求の範囲】
【請求項１】
印刷版の巾方向の全長に亘り、かつ該印刷版主表面に対しては直接に露出せぬよう金属板が埋入されて成り、スクリーン印刷におけるスクリーン版上を摺動するスキージ装置に用いられるよう構成されたスキージブレード。
【請求項２】
印刷版の巾方向の全長に亘り、かつ該印刷版主表面に対しては直接露出せぬよう金属板を前後１枚計２枚の硬質プラスチック板で挟み込んで成り、スクリーン印刷におけるスクリーン版上を摺動するスキージ装置に用いられるよう構成されたスキージブレード。
【請求項３】
全体が硬質ブラスチック材で被覆されて成り、スクリーン印刷におけるスクリーン版上を摺動する、ハウジング構造のスキージ装置に用いられるよう構成されたスキージブレード。
【請求項４】
請求項１〜３のいずれか記載のスキージブレードを用いるよう構成されたスクリーン印刷用スキージ装置。
【発明の詳細な説明】
【０００１】
【産業上の利用分野】
本発明は、電子回路基板上に電子部品が装着される前に所定位置に半田ペーストをスクリーン印刷によって載着させるスクリーン印刷装置、特にスキージ装置に関するものである。
【０００２】
【従来の技術】
電子回路基板上のスクリーン印刷に用いられる印刷装置の内、特にスキージ装置に関しては、大別して以下の２種のものである。一つは、十分以前から知られているものでポリウレタン系樹脂等の硬質プラスチック材から成る薄板状直方体のスキージブレードを用い、該ブレード直前のスクリーン版上に載置された印刷材料を、前記スクリーン版上を摺動しつつ、該スクリーンの開口部を介して、前記材料を被印刷物としてのプリント基板（以下、Ｐ−板と略称）上に刷り込んでいくものである。尚、上記印刷終了後、上記板上に載置された上記材料を回収しつつ、再印刷するためほゞ上記ブレードと同一構造のブレードが印刷方向に沿って上記ブレードの前方に設けられた構造のものもある。但し、上記前後に設けられたブレードは、あくまて、各々独立にかつ同一の機能すなわち、自らのの直前にある印刷材料をかき寄せつつ、印刷動作を行う働きをなすものである。一方、二番のものは、比較的最近すなわちここ数年前に初めて当該技術分野に登場してきたもので、前者の装置で用いられるブレードの厚みが、数ｍｍ以上あるのに対し、該厚みが０．１ｍｍから高々０．２ｍｍ程度の極めて薄い金属鋼板製の短冊状のブレードが、印刷方向に沿って前後１枚計２枚、常に、ハウジング構造と呼ばれるスキージ装置の最下部に設けられているもので、印刷開始と共に、チャンバーと呼ばれる印刷材料回収容器から該スキージブレード部にまで送給された該材料をそれまで前記２枚のブレードが協力してスクリーン版上への出口を閉鎖・収納していた状態からスクリーン版上表面に向かって開口し、前記材料を送り出す。印刷終了後は、再び相協力して、上記余剰の材料を回収・収納し、それまで接していたスクリーン版から離れて浮上し、印刷始点まで返戻するものである。
【０００３】
尚、上記まで用いられ以下にも使われるチャンバーやハウジング構造や該構造のスキージ装置等の概念・意味・構造は文献（特願平５−３９２２２）に於いて見られるものと同一ないしそれに準ずるものである。例えば、本発明でいうチャンバーとは、前項（「０００２」）の後半にも述べたように、印刷材料を収納しうる容器としてのスキージ装置の内、該材料を収納しうる部屋の意味であり、該部屋の、印刷方向に沿って、前方・後方にある壁は同時にスキージ装置全体の前方・後方のブロックの内壁に各々相当する。上記チャンバーの下方すなわちスクリーン表面に向かっての印刷材料の供給は、前述（「０００２」）の如く、前記後壁の一部である可動壁に取り付けられた上記後ブレーキが後方に動き、前記前壁に固定されている前ブレードとの間に形成される開口部を通してなされる。当然、上記印刷材料が、徒に、上記チャンバーから逸出しないために上記前方・後方の各ブロックを連結する側壁及び上記スキージブレードの長さ方向すなわち印刷方向に直角なスクリーン版やＰ−板の幅方向の側壁にも補助側壁が設けられる。その結果印刷材料や該材料特性調整用の不活性ガスや溶剤等のスキージ装置内すなわちチャンバー内への送給口を除けば、上記各壁と天井と併せて、外気とは直接に触れない構造という意味で、ハウジング構造となづけられたものである。
【０００４】
【発明が解決しょうとする課題】
スクリーン印刷では、近年の導体線路高精細化に対応して、メッシュスクリーンからメタルスクリーンの多用が始まっているが、前項（「０００３」）に述べた従来のスキージ装置に用いられる樹脂素材のスキージブレードでは、Ｐ−板上の印刷材の載着量を微細にコントロールするための、スクリーン版への該ブレードの印刷時の圧力（以下、印圧と略称）調整が困難である。更に、メタルスクリーン上の画像パターンに対応する開口部のエッジで、上記ブレードの先端が削られ、その摩耗が甚大になりつつある。
【０００５】
他方、メタルスクリーンの使用に際しては、Ｐ−板との密着度がメッシュスクリーンに比べて強いために、一種の毛細管現象に起因すると思われる。印刷材料のスクリーン裏面（下表面）への廻りが発生しやすく、通常は毎回の印刷終了時に該裏面を清拭する必要がある。この工程ないしこのための装置を省くために、より精細化の進んだメッシュスクリーンの採用への見直しも始まりつつある。前項（「０００３」）に述べた後者の従来例では、このようなメッシュスクリーンを使用した場合、該ブレードが極めて薄いために、その長さ方向の両端部で、上記スクリーン上表面を傷つけることが起こり得る。更に、スクリーンの種類を問わず、印刷終了後に一旦スクリーン版上表面から離れて浮上し印刷開始点に戻る際に、閉鎖されたスキージブレード部から、印刷材料が漏洩してスクリーン上に落下する恐れもある（以下、“漏下”と略称）。これは、該２枚のブレードが硬度の高い超薄刃鋼板でできていて、互いに直接相接しているからにほかならない。
【０００６】
本発明は、上記問題点に鑑みてなされたもので、上記二大別される従来例の各々について、互いに相補的な効果を挙げ得るような構成のものを提供するものである。
【０００７】
【課題を解決するための手段】
上記課題を解決するために、本発明に基づくスキージブレード及びそれらを用いたスキージ装置では、まず、従来技術の前者例（以下、厚型と略称）に対応するものでは、スキージブレードの全長に亘り、かつスクリーン版に向かっての下方には直接露出せぬよう前記従来技術の後者例より十分厚い金属板を挿入する。但し、その方法には主に２種類あって一つは一体型のブレードに予め上記金属板挿入用の空隙部を形成しておき、そこに該金属板を狭入する。二つには、１枚のブレードが、印刷方向に沿って前板と後板の二枚貼り構成すなわち二体型となっており、前記各板に上記一つ目とほゞ同長の凹部を形成しておき、後に、上記金属板を中央にしてスクリーン版の下方に向かっての、下方にも長さ方向の両端部にも直接には露出せぬよう上記前・後板にて挟み込む。
【０００８】
次いで、従来技術の後者例（以下、薄型と略称）に対応するものでは、超薄刃構造のスキージブレードの全体を該薄刃厚と同程度の被覆厚となるよう、ポリウレタン樹脂等の硬質プラスチックで被覆された構造のものとする。該被覆の方法としては、いわゆるディップコーティング等の方法をとればよい。
【０００９】
そして、本発明に基づくスキージ装置では、上記に説明してきた各種のスキージブレードを用途に応じて使い分けられるよう構成されている。
【００１０】
【作用】
本発明に基づくスキージブレードでは、厚型の場合には、厚み方向の中心部にかつ長さ方向のほゞ全長に亘って、一種の芯材とも言うべき金属板が挿入されることにより、メッシュスクリーンの場合も含めメタルスクリーン版への印圧調整ないしは必要な印圧が得られ易くなる。また、メタルスクリーン上での該ブレードの摩耗が抑止される。
【００１１】
次いで、薄型の場合には、全体が樹脂被覆されることにより、メッシュスクリーンを傷つけることも無くなり、更に、印刷終了後の始点への岐路での“漏下”も消滅する。
【００１２】
続いて、本発明に基づくスキージ装置では、上記構造のスキージブレードを採用するので、全体の印刷性能や耐久性が増す。
【００１３】
「実施例」以下、本発明の要旨について、実施例に基づき、図面を参照しながら説明する。図１に於いて、実斜線部の１は従来から用いられているポリウレタン系樹脂を主材とするスキージブレード、点線部の２はＳＵＳ等の鋼板を意味し、全体しとて印刷方向（Ｐ）と直交する印刷板の幅方向（以下、常に幅方向と略称）に垂直な面内から眺めた断面図である。上部波線（Ｗ）はスキージ装置下部に設けられた上記ブレードを保持する保持具への方向に向かって一様な構造体が続くので図示が略されたことを意味する（以下、同様）。図１は、予め上記金属板が挿入可能なように、上記幅方向（これは同時に、上記ブレードの長さ方向でもある）の全長に亘って空隙部を有するよう一体成型された上記樹脂に前記金属板が狭入された構造のものを表しており、それらの印刷方向に沿っての厚みは、上記金属板が１〜数ｍｍに対し、全体として、数ｍｍ〜十数ｍｍ程度である。尚、２は上記幅方向の両端部に対しては露出しているが、スクリーン版に向かっての下方へは露出していないことも同図は示している。
【００１４】
図２も図１の場合と同様な実施例の一つで、既出の各符号の表す意味は図１と同様である。但し、Ｓ、Ｓ′の矢印は、スキージブレードの厚みのほゞ中心を意味し、１が点線Ｓ、Ｓ′によって印刷方向に沿って後方部（１（１））と前方部（１（２））に分割されうることを表す。換言すれば、ブレードを厚みのほゞ中心の線で前後に裁ち割った形状のものの、中央部に幅方向の全長に亘り凹部を予め設けた構造のもの各１枚で図１の場合と同様な金属板（２′）を前後から挟み込むように貼り合わせた構造のものをあらわしている。但し、上記貼り合わせの方法は、接着剤による接着、幅方向端部での熱融着或いは、スキージ装置として構成する際のねじ止めを利用する等様々なものであっても良い。図２における、各要部の寸法ないし寸法比は、本来、図１の場合と同様なものである。
【００１５】
尚、図１、２に共通に、１枚のブレードの断面のみが示されているが、２枚のブレードを１台のスキージ装置に印刷方向に沿って前後に各１枚組み込んで使用する場合も、無論あるが、その場合も、上記各１枚は相互に独立しており、協力的に同時に機能することはない。つまり、両者の機能は本質的には同一で、只、動作時期が印刷の往路と復路とに分かれているに過ぎない。更に、図１、２で示され、上記に説明してきた２種類の各ブレードの取り付けに、従来より困難さや面倒さが生ずるわけではないからである。
【００１６】
図３は、ハウジング構造のスキージ装置に使われうるスキージブレードの、上記までと同様な方向から眺めた断面図で、３がＳＵＳ等の鋼板製ブレードで、４がディップコーティング等で該ブレードを被覆しているポリウレタン樹脂等の硬質プラスチックである。同図は前図までのものが、従来構造のブレードの厚み中心に金属板を挿入した物であるのと異なり、金属製の従来構造のブレードの前面を樹脂で被覆した構造のものであることを表している。図３は、分かり易く示すために１、２図とほゞ同じサイズで描かれているが同図における各要部の寸法ないし寸法比は、本来１、２図とは大いに異なる。すなわち、全体の厚みは数十分の一であり、要部間の寸法比はほゞ１：１である。例えば、３の厚みを０．１ｍｍとすると全体の厚みは０．２〜０．４ｍｍ程度あればよい。
【００１７】
尚、図３のブレードは、元来前後１枚計２枚一組でスキージブレード部を形成して、既述の如く、ハウジング構造のスキージ装置において特に有用なものであるが、前記各１枚の構造に格別の差異を設ける必要はないので、１枚のみで代表せしめている。これらのスキージブレードが組み込まれたスキージ装置の構造は、１、２図の場合と同様の意味で、その図示が略されている。該ブレードが該スキージ装置に組み込まれる際の、スクリーン上表面に対する前記ブレード主面のなす角度は、図１、２の場合と異なり、９０°より十分小さいもので、詳しくは「０００３」に説明した文献を参照されたい。
【００１８】
【発明の効果】
本発明は以上の説明から容易に理解されるように、スクリーン印刷において下記のような効果を発揮しうるものである。
【００１９】
硬質プラスチック製のスキージブレードの厚み中心の全長に亘り、金属板を、埋入したり、狭入せしめた構造のものを使用することにより、該ブレードのメタルスクリーンに対する印圧を十分大きくできかつ調整し易くなると共に、その摩耗の度合いも激減するので該ブレードを用いたスキージ装置に寄るＰ−板上への印刷材の載着量のコントロールやひいては良好な画質の版を得ることが容易となる。
【００２０】
ハウジング構造のスキージ装置において有用な鋼板製の超薄刃のスキージブレードの全体を樹脂被覆することにより、該ブレードのメッシュスクリーンに対する損傷が無くなると共に、“漏下”現象も殆ど消滅し、該ブレードを用いたスキージ装置の多用な活用と良好な版結果の獲得がなされる。
【図面の簡単な説明】
【図１】スキージブレードの実施例を示す要部縦断面図である。
【図２】スキージフレードの実施例を示す要部縦断面図である。
【図３】スキージフレードの実施例を示す要部縦断面図である。
【符号の説明】
１、１（１）、１（２）、４　　　樹脂
２、２′、３　　　　　　　　　　金属板
Ｐ　　　　　　　　　　　　　　　印刷方向
Ｗ　　　　　　　　　　　　　　　図示省略図
Ｓ、Ｓ′　　　　　　　　　　　　接面
【図１】
2004001548.tif 000003
【図２】
2004001548.tif 000004
【図３】
2004001548.tif 000005